(57)【特許請求の範囲】
【請求項１】
裏面に円筒体が垂設されているとともに、円筒体の中央部に相当する部分に透孔が穿設されているカバー部材と、該カバー部材に取着される固定保持板と、該固定保持板に対して回動自在で、且つ、上端部に膨出部を有する雄型係合部材が立設されている回動保持板と、内側面の中程から相対する方向に延在する係合突起が形成されている八の字状の弾性板材が、その下部に形成されている円柱部を有する雌型係合部材とを有し、カバー部材の円筒体に、雌型係合部材の円柱部が挿入されている状態で、固定保持板を、カバー部材の裏面に取り付けることにより、カバー部材、固定保持板、回動保持板及び雌型係合部材が組み立てられるように構成されており、また、回動保持板が略水平状態においては、回動保持板に形成されている雄型係合部材の膨出部が、雌型係合部材の八の字状の弾性板材に形成されている係合突起により係止されるように構成されており、更に、回動保持板が略水平な状態から、カバー部材に穿設された透孔に指を入れて、雌型係合部材を下方に押すことにより、雌型係合部材の八の字状の弾性板材を、固定保持板の上面に沿って、外側に拡張させて、雌型係合部材の八の字状の弾性板材に形成されている係合突起を、雄型係合部材の膨出部から外すことにより、回動保持板を、略水平状態から下方に回動するように構成されていることを特徴とするモップ。
【発明の詳細な説明】
【０００１】
【発明の属する技術分野】
本発明は、種々の清掃に使用されるモップに関するものである。
【０００２】
【従来の技術】
従来，図８に示されているような、平面形状が楕円形状の基布１の両端部分に、平面形状が半楕円状の上部布２を、それぞれ、直線部分２ａ以外の曲線状の周縁部２ｂを縫着することにより取り付けて、相対する直線部分が開口した袋部３を形成するとともに、基布１の外周に紐４を密集状態に取り付けて形成された雑巾Ｗの上記の２つの袋部３に、平面形状が基布１と同様で、上部に棒状の持ち手が取着された楕円形状のカバーの下部に取り付けられた半楕円形状の固定保持板と、同じく半楕円形状の回動保持板とを挿入して構成されたモップが知られている（例えば、実開平６−４８５６２号公報）。
【０００３】
上述した従来のモップにおいては、回動保持板を水平状態に保持するためのストッパー及び該ストッパーを、所定の方向に付勢するために、２つの小さなコイルスプリングからなる復帰用のバネが使用されている。
【０００４】
【発明が解決しようとする課題】
上述した従来のモップは、とりわけ、回動保持板の取り付け構造が複雑であり、部品数も多いために、モップが高価なものになるとともに、故障しやすいという問題がある。とりわけ、回動保持板を水平状態に保持するためのストッパー及び該ストッパーを、所定の方向に付勢するために、２つの小さなコイルスプリングからなる復帰用のバネが使用されているために、モップの組み立て作業に、時間がかかるとともに、その組み立て作業に熟練を要し、従って、モップのコストが上昇するという問題があった。
【０００５】
本発明の目的は、上述した従来のモップが有する課題を解決するとともに、取り扱い性に優れたモップを提供することにある。
【０００６】
【課題を解決するための手段】
本発明は、上述した目的を達成するために、裏面に円筒体が垂設されているとともに、円筒体の中央部に相当する部分に透孔が穿設されているカバー部材と、該カバー部材に取着される固定保持板と、該固定保持板に対して回動自在で、且つ、上端部に膨出部を有する雄型係合部材が立設されている回動保持板と、内側面の中程から相対する方向に延在する係合突起が形成されている八の字状の弾性板材が、その下部に形成されている円柱部を有する雌型係合部材とを有し、カバー部材の円筒体に、雌型係合部材の円柱部が挿入されている状態で、固定保持板を、カバー部材の裏面に取り付けることにより、カバー部材、固定保持板、回動保持板及び雌型係合部材が組み立てられるように構成されており、また、回動保持板が略水平状態においては、回動保持板に形成されている雄型係合部材の膨出部が、雌型係合部材の八の字状の弾性板材に形成されている係合突起により係止されるように構成されており、更に、回動保持板が略水平な状態から、カバー部材に穿設された透孔に指を入れて、雌型係合部材を下方に押すことにより、雌型係合部材の八の字状の弾性板材を、固定保持板の上面に沿って、外側に拡張させて、雌型係合部材の八の字状の弾性板材に形成されている係合突起を、雄型係合部材の膨出部から外すことにより、回動保持板を、略水平状態から下方に回動するように構成したものである。
【０００７】
【実施例】
以下に、本発明の実施例について説明するが、本発明の趣旨を越えない限り何ら、本実施例に限定されるものではない。なお、本発明において、使用される雑巾Ｗに関しては、図８に示されているものと同じであるので、その説明は省略する。
【０００８】
１０は、平面形状が楕円形状で、山形に湾曲した形状を有するカバー部材であり、カバー部材１０の中央部には、楕円形状のカバー部材１０の長径１０ａに対して直交する凹部１０ｂが形成されている。凹部１０ｂを形成する相対する垂直壁１０ｃには、透孔１０ｄが穿設されており、透孔１０ｄには、棒状の持ち手１１をカバー部材１０に連結する中間ブロック１２の下部に形成された水平ピン１２ａが挿入されている。上記の棒状の持ち手１１は、持ち手１１の下端部に形成され二股部１１ａに、中間ブロック１２の上端部を挿入するとともに、二股部１１ａに穿設された透孔１１ｂ及び中間ブロック１２に穿設された透孔１２ｂに、連結ピン１１ｃを嵌着することにより、カバー部材１０に連結されている。カバー部材１０の裏面には、後述する固定保持板を、カバー部材１０に取着されための内周にネジ溝が刻設された円筒状のネジ受け１０ｅが、適当数、垂設されている。
【０００９】
１３は、平面形状が、上述した楕円形状のカバー部材１０の略半分の半楕円形状の固定保持板である。１４は、同じく、平面形状が、上述した楕円形状のカバー部材１０の略半分の半楕円形状の回動保持板であり、回動保持板１４の直線側には切り欠き部１４ａが形成されており、切り欠き部１４ａは、回動保持板１４の両端部から平行に延設された一対の棒状体１４ｂと回動保持板１４の板状部１４ｃの棒状体１４ｂに垂直な縁部１４ｄとにより形成されている。また、一対の棒状体１４ｂの先端部には、棒状体１４ｂに対して垂直で、且つ、相対する方向に延びる係合ピン１４ｅが延設されている。更に、縁部１４ｄの中程には、板状部１４ｃと面一に延びる板状の凸部１４ｆが突設されており、凸部１４ｆの上面には、上端部に傘状の膨出部１４ｇ’が形成された茸状の雄型係合部材１４ｇが立設されている。一方、上述した固定保持板１３には、回動保持板１４の係合ピン１４ｅが挿入可能な凹部１３ａが形成されているとともに、回動保持板１４の凸部１４ｆが挿入可能な切り欠き部１３ｂが形成されている。カバー部材１０の裏面には、円筒体１０ｆが垂設されており、円筒体１０ｆの中央部に相当するカバー部材１０には、透孔１０ｇが穿設されており、円筒体１０ｆの上端部には、内側に突出した突起１０ｆ’が形成されている。
【００１０】
１５は、一体成形された雌型係合部材であり、雌型係合部材１５は、下部に鍔１５ａ’を有する円柱部１５ａ、該円柱部１５ａの下面から八の字状に延びる弾性板材１５ｂ及び弾性板材１５ｂの内側面の中程から相対する方向に略水平に延在する係合突起１５ｃとを有している。雌型係合部材１５の円柱部１５ａは、上述したカバー部材１０に形成された円筒体１０ｆに挿入されるように構成されており、また、雌型係合部材１５は、円柱部１５ａの鍔１５ａ’が、円筒体１０ｆの上端部に形成された突起１０ｆ’に当接することにより、雌型係合部材１５が、円筒体１０ｆに対して、上方から抜け出ないように構成されている。
【００１１】
上述した構成を有するカバー部材１０、固定保持板１３、回動保持板１４及び雌型係合部材１５の組み立てについて説明する。固定保持板１３の凹部１３ａに、回動保持板１４の係合ピン１４ｅを挿入するとともに、カバー部材１０の円筒体１０ｆに、雌型係合部材１５の円柱部１５ａに挿入しておく。次いで、回動保持板１４の係合ピン１４ｅが凹部１３ａに挿入された状態の固定保持板１３を、カバー部材１０の裏面側に対峙させ、適当数のネジ１６を、固定保持板１３に穿設された透孔１３ｃに挿通するとともに、ネジ１６を、カバー部材１０のネジ受け１０ｅに取り付けることにより、カバー部材１０、固定保持板１３、回動保持板１４及び雌型係合部材１５を組み立てる。この際、回動保持板１４が水平な状態において、雌型係合部材１５の下方に、回動保持板１４の雄型係合部材１４ｇが位置するとともに、雌型係合部材１５の八の字状に延びる弾性板材１５ｂの先端が、固定保持板１３の上面に位置するように構成されている。
【００１２】
上述したようにして組み立てられたモップは、固定保持板１３の凹部１３ａに係合ピン１４ｅが挿入された回動保持板１４が、係合ピン１４ｅを中心に、固定保持板１３に対して回動可能に構成されている。そして、回動保持板１４を、略水平状態の上方に回動させることにより、回動保持板１４に形成された雄型係合部材１４ｇの傘状の膨出部１４ｇ’が、カバー部材１０の円筒体１０ｆに挿入された雌型係合部材１５の弾性板材１５ｂに当接し、弾性板材１５ｂを外側に拡張させるとともに、雄型係合部材１４ｇの膨出部１４ｇ’が、弾性板材１５ｂの係合突起１５ｃを越えて上昇し、その後、弾性板材１５ｂの弾性により、弾性板材１５ｂが内側に戻ることにより、図４に示されているように、弾性板材１５ｂの係合突起１５ｃにより係止される。
【００１３】
上述した雄型係合部材１４ｇの膨出部１４ｇ’が、弾性板材１５ｂの係合突起１５ｃにより係止されて、回動保持板１４が固定保持板１３に係止された状態から、カバー部材１０に穿設された透孔１０ｇに指を入れて、雌型係合部材１５を下方に押すと、その先端が、固定保持板１３の上面に当接している、雌型係合部材１５の八の字状の弾性板材１５ｂの先端が、固定保持板１３の上面に沿って、外側に拡張し、雄型係合部材１４ｇの膨出部１４ｇ’に係合している弾性板材１５ｂの係合突起１５ｃが、図５に示されているように、雄型係合部材１４ｇの膨出部１４ｇ’から外れて、回動保持板１４が、略水平状態のから下方に回動するように構成されている。
【００１４】
次に、雑巾Ｗの取り付けについて説明する。図７に示されているように、回動保持板１４を、固定保持板１３に対して回動させた状態で、カバー部材１０と固定保持板１３との隙間に、雑巾Ｗの一方の上部布２を挿入し、固定保持板１３を袋部３に挿入する。次いで、下方に回動した回動保持板１４に、雑巾Ｗのもう一方の袋部３に挿入する。その後、回動保持板１４を、カバー部材１０方向に回動させるとともに、上述したように、回動保持板１４に形成された雄型係合部材１４ｇの傘状の膨出部１４ｇ’を、カバー部材１０の円筒体１０ｆに挿入された雌型係合部材１５の弾性板材１５ｂの係合突起１５ｃに係止させて、回動保持板１４を、雌型係合部材１５を介して、カバー部材１０に取り付ける。なお、雑巾Ｗの取り外しは、上述したように、カバー部材１０に穿設された透孔１０ｇに指を入れて、雌型係合部材１５を下方に押すことにより、雌型係合部材１５と回動保持板１４に形成された雄型係合部材１４ｇとの係合を解いて、回動保持板１４を下方に回動させ、回動保持板１４から雑巾Ｗの一方の袋部３を外し、その後、固定保持板１３から雑巾Ｗのもう一方の袋部３を外す。
【００１５】
上述したカバー部材１０、中間ブロック１２、固定保持板１３、回動保持板１４及び雌型係合部材１５は、それぞれ、合成樹脂で一体に成形され、これらを、ネジ１６のみを使用するだけで組み立てることができるので、部品数が少なく、従って、安価で、故障しにくいモップが実現できる。
【００１６】
【発明の効果】
本発明は、以上説明した構成を有しているので、以下に記載する効果を奏するものである。
【００１７】
カバー部材、固定保持板、回動保持板、雌型係合部材等を、簡単に組み立てることができるので、部品数が少なく、従って、安価で、故障しにくいモップが実現できる。とりわけ、一体に成形された雄型係合部材が、弾性を有するとともに、係合突起を有しているので、部品数が減少するとともに、組み立て作業時間が減少できる。
【図面の簡単な説明】
【図１】図１は本発明のモップの主要部の分解斜視図である。
【図２】図２は本発明のモップの固定保持板の長径に沿った垂直断面図である。
【図３】図３は本発明のモップの固定保持板の裏面から見た斜視図である。
【図４】図４は本発明のモップの固定保持板の長径に直交する垂直断面図である。
【図５】図５は図４と同様の本発明のモップの固定保持板の長径に直交する垂直断面図である。
【図６】図６は本発明のモップの主要部の組み立て斜視図である。
【図７】図７は雑巾を取り付ける状態を説明するための本発明のモップの斜視図である。
【図８】図８は雑巾の斜視図である。
【符号の説明】
１０・・・・・・・カバー部材
１３・・・・・・・固定保持板
１４・・・・・・・回動保持板
１４ｇ・・・・・・雄型係合部材
１５・・・・・・・雌型係合部材
【図１】
0004030662.tif 000002
【図２】
0004030662.tif 000003
【図３】
0004030662.tif 000004
【図４】
0004030662.tif 000005
【図５】
0004030662.tif 000006
【図６】
0004030662.tif 000007
【図７】
0004030662.tif 000008
【図８】
0004030662.tif 000009